(57)【特許請求の範囲】
【請求項１】
機器の取付軸に沿って形成される取付部に取り付けるセンサ固定装置であって、
前記取付部の外縁に沿って配置される本体部であって、一の端部に第１開口を、他の端部に第２開口を有する本体部、
前記本体部の前記第１開口及び前記第２開口に挿入される取付ボルトであって、前記本体部を前記取付部の外縁に沿って配置した取付状態において、前記取付軸と交差する方向に沿って挿入される取付ボルト、
前記取付ボルトと螺合し、前記取付ボルトを前記本体部に取り付ける取付ナット、
を有し、
前記取付ナットは、
前記取付ボルトと螺合する際の前記取付ボルトのボルト軸を中心に、前記ボルト軸周りに回転可能に前記本体部に保持されていること、
を特徴とするセンサ固定装置。
【請求項２】
請求項１に係るセンサ固定装置において、
前記取付ナットは、
前記取付ボルトが挿入される方向に対して交差する方向に回動可能であること、
を特徴とするセンサ固定装置。
【請求項３】
機器の取付軸に沿って形成される取付部に取り付けるセンサ固定装置であって、
前記取付部の外縁に沿って配置される本体部であって、一の端部に第１開口を、他の端部に第２開口を有する本体部、
前記本体部の前記第１開口及び前記第２開口に挿入される取付ボルトであって、前記本体部を前記取付部の外縁に沿って配置した取付状態において、前記取付軸と交差する方向に沿って挿入される取付ボルト、
前記取付ボルトと螺合し、前記取付ボルトを前記本体部に取り付ける取付ナット、
を有し、
前記本体部は、
前記他の端部に、前記取付状態において、前記取付軸に対して垂直に、互いに対向して位置する第１側壁及び第２側壁を有し、
前記第１側壁は、
所定の第１側壁開口を有し、
前記第２側壁は、
所定の第２側壁開口を有し、
前記取付ナットは、
前記第１側壁と前記第２側壁との間に配置される球形部であって、前記第１側壁と前記第２側壁との間の距離よりも長い直径を有し、前記第１側壁開口及び前記第２側壁開口と係合する球形部を有すること、
を特徴とするセンサ固定装置。
【請求項４】
請求項３に係るセンサ固定装置において、
前記取付ナットは、
前記取付ボルトが挿入される方向に対して交差する方向に回動可能であること、
を特徴とするセンサ固定装置。  
【発明の詳細な説明】
【技術分野】
【０００１】
本発明は、センサ固定装置に関し、特に、プロセスシステム構成機器に取り付けるものに関する。
【背景技術】
【０００２】
従来のセンサ固定装置として、図８に示す作動検出装置２を用いて説明する。作動検出装置２は、被検出部である蒸気トラップの入口１に当接される作動状態検出用のセンサ３と、作動状態検出用のセンサ３が連結されると共に一対の挿入孔が設けられ蒸気トラップの入口１の片面に位置する保持部材４と、蒸気トラップの入口１の反対面に位置し上壁と両側壁を有する断面概略コ字状で上壁に一対の挿入孔が設けられると共に一対の挿入孔の間に被検出部の角柱の平面部に当接する平面部が形成され両側壁に被検出部の丸柱の曲面部の両側に当接する断面概略く字状溝部が形成された挟持部材５と、挟持部材５の一対の挿入孔及び保持部材４の一対の挿入孔に両脚部６ａが挿入されるＵボルト６と、Ｕボルト６の両脚部６ａに取り付けられる一対のナット７と、を具備する。（以上、特許文献１参照）。
【先行技術文献】
【特許文献】
【０００３】
【特許文献１】特開平２０１３−１７０６８６号公報
【発明の概要】
【発明が解決しようとする課題】
【０００４】
前述の作動検出装置２には、以下に示すような改善すべき点がある。作動検出装置２では、保持部材４、挟持部材５、Ｕボルト６、及び、一対のナット７が、それぞれ独立した具材として形成されている。このため、各部材を組み上げて取り付ける際に、ナット７を手から落として紛失してしまうことがある、という改善すべき点がある。特に、プロセスシステム構成機器は、取付スペースが限られている場合が多く、また、プロセスシステム構成機器が高温になることから、ナット７を紛失してしまうことがある。【０００５】
そこで、本発明は、取付ナットの紛失を防止できるセンサ固定装置の提供を目的とする。
【発明の効果】
【０００６】
本発明における課題を解決するための手段及び発明の効果を以下に示す。【０００７】
本発明に係るセンサ固定装置は、プロセスシステム構成機器に所定の取付軸に沿って形成される取付部に取り付けるセンサ固定装置であって、前記取付部の外縁に沿って配置される本体部であって、一の端部に第１開口を、他の端部に第２開口を有する本体部、前記本体部の前記第１開口及び前記第２開口に挿入される取付ボルトであって、前記本体部を前記取付部の外縁に沿って配置した取付状態において、前記取付軸と交差する方向に沿って挿入される取付ボルト、前記取付ボルトを前記本体部に取り付ける取付ナット、を有し、前記取付ナットは、前記取付ボルトと螺合できるように回転可能に前記本体部に保持されていること、を特徴とする。【０００８】
これにより、取付ナットは、本体部と一体として保持される。従って、取付の際に落としてしまう等、取付ナットのみの紛失を防止することができる。【０００９】
本発明に係るセンサ固定装置では、前記取付ナットは、前記取付ボルトが挿入される方向に対して交差する方向に回動可能であること、を特徴とする。【００１０】
これにより、本体部の配置角度にかかわらず、取付ナットを取付ボルトに対して垂直に配置できるため、容易に取付ボルトを取付ナットに螺合させることができる。【００１１】
本発明に係るセンサ固定装置では、前記本体部は、前記他の端部に、前記取付状態において、前記取付軸に対して垂直に、互いに対向して位置する第１側壁及び第２側壁を有し、前記第１側壁は、所定の第１側壁開口を有し、前記第２側壁は、所定の第２側壁開口を有し、前記取付ナットは、前記第１側壁と前記第２側壁との間に配置される球形部であって、前記第１側壁と前記第２側壁との間の距離よりも長い直径を有し、前記第１側壁開口及び前記第２側壁開口と係合する球形部を有すること、を特徴とする。【００１２】
これにより、取付ナットは、本体部と一体として保持される。従って、取付の際に落としてしまう等、取付ナットのみの紛失を防止することができる。また、本体部の配置角度にかかわらず、取付ナットを取付ボルトに対して垂直に配置できるため、容易に取付ボルトを取付ナットに螺合させることができる。
【図面の簡単な説明】
【００１３】
【図１】本発明に係るセンサ固定装置の一実施例であるセンサ固定装置１００の取付状態における正面から見た図である。
【図２】図１に示す取付状態にあるセンサ固定装置１００をスチームトラップＴの上面側から見た状態を示す図である。
【図３】図１に示す取付状態にあるセンサ固定装置１００をスチームトラップＴの右側から見た状態を示す図である。
【図４】図３のＹ−Ｙ断面を示す図である。
【図５】図３のＸ−Ｘ断面を示す図である。
【図６】本発明に係るセンサ固定装置のその他の実施例を示す図である。
【図７】本発明に係るセンサ固定装置のその他の実施例を示す図である。
【図８】従来のセンサ固定装置を示す図である。
【発明を実施するための形態】
【００１４】
以下、本発明の実施例について、図面を参照しながら詳細に説明していく。
【実施例１】
【００１５】
本発明に係るセンサ固定装置の一例として、スチームトラップに専用のセンサを取り付けるセンサ固定装置１００について図１〜図３を用いて説明する。図１は、スチームトラップＴのトラップ開口部Ｔ１に取り付けた取付状態にあるセンサ固定装置１００を、トラップ開口部Ｔ１の正面から見た図を示している。図２は、取付状態にあるセンサ固定装置１００を、スチームトラップＴの上面側から見た状態を示している。なお、図２においては、スチームトラップＴのトラップ開口部Ｔ１のみを表示し、スチームトラップＴの本体については記述を省略している。また、図２においては、スチームトラップ用センサＳを取り外した状態を示している。図３は、取付状態にあるセンサ固定装置１００を、図１の右側から見た状態を示している。【００１６】
図１に示すように、センサ固定装置１００は、取付状態において、トラップ開口部Ｔ１の外縁に沿って配置される。センサ固定装置１００は、センサ固定本体部１１０、取付本体部１３０、取付ボルト１５０、及び、取付ナット１７０を有している。【００１７】
センサ固定本体部１１０は、鉛直状のスチームトラップ用センサＳを固定するための部材である。なお、スチームトラップ用センサＳは、スチームトラップの動作状態を取得するためのセンサである。【００１８】
図２に示すように、センサ固定本体部１１０は、中央に、円筒状のセンサ取付開口１１１を有している。センサ取付開口１１１の周りには、ネジ切りされている。【００１９】
センサ固定本体部１１０は、センサ取付開口１１１から左右に向かって伸びる連結腕部１１３を有している。連結腕部１１３は、一端に、取付本体部１３０（図１参照）をピンＰ（図１参照）で連結するための開口（図示せず）を有している。連結腕部１１３は、板状の部材により形成されている。【００２０】
図１に戻って、取付本体部１３０は、取付ボルト１５０を用いて、センサ固定装置１００をトラップ開口部Ｔ１に取り付けるための部材である。取付本体部１３０は、腕部１３１、トラップ当接突出部１３２、及び、ナット取付部１３３を有している。腕部１３１は、円弧状の外形を有している。ナット取付部１３３は、センサ固定本体部１１０と連結する側とは反対側に位置する腕部１３１の一端から連続して位置する。【００２１】
トラップ当接突出部１３２は、センサ固定装置１００の取付状態において、スチームトラップＴのトラップ開口部Ｔ１に当接する。センサ固定装置１００は、センサ固定本体部１１０に保持されているスチームトラップ用センサＳの一端、及び、左右に配置される取付本体部１３０、それぞれのトラップ当接突出部１３２の３点によって、トラップ開口部Ｔ１に取り付けられる。【００２２】
図３に示すように、ナット取付部１３３は、第１側壁部１３３ａ、第２側壁部１３３ｂ、及び、第３側壁部１３３ｃを有している。第１側壁部１３３ａと第２側壁部１３３ｂは、対向して位置する。また、第１側壁部１３３ａ及び第２側壁部１３３ｂは、センサ固定装置１００の取付状態において、トラップ開口ＡＴのトラップ開口軸ＪＴに対して垂直に位置する。第３側壁部１３３ｃは、第１側壁部１３３ａと第２側壁部１３３ｂとの間に、トラップ開口軸ＪＴに沿う方向、つまり取付ボルト１５０の挿入方向に沿うボルト軸Ｊ１５０（図２参照）に交差するように形成される。【００２３】
図３のＹ−Ｙ断面を図４に示す。図４に示すように、第１側壁部１３３ａは、第１側壁開口である第１取付ナット保持開口１３３ａ１を有している。また、第２側壁部１３３ｂは、第２側壁開口である第２取付ナット保持開口１３３ｂ１を有している。さらに、第３側壁部１３３ｃは、取付ボルト挿入開口１３３ｃ１を有している。第１取付ナット保持開口１３３ａ１、第２取付ナット保持開口１３３ｂ１、及び、取付ボルト挿入開口１３３ｃ１については、後述する。【００２４】
図３のＸ−Ｘ断面を図５に示す。図５に示すように、取付ボルト１５０は、頭部１５１及びネジ部１５３を有するネジ部材である。取付ボルト１５０は、センサ固定装置１００の取付状態において、頭部１５１が取付本体部１３０の第３側壁部１３３ｃに当接する。なお、取付ボルト１５０は、対向して位置する取付ボルト挿入開口１３３ｃ１に挿入され、取付ナット１７０と一体となって、センサ固定装置１００をスチームトラップＴに取り付ける。【００２５】
図４に戻って、取付ナット１７０は、ナット部１７１及びナット球形部１７３を有している。ナット部１７１は、六角形状の外形を有している。ナット部１７１の内部は、取付ボルト１５０に合うようにねじ切りされている。【００２６】
ナット球形部１７３は、ナット部１７１の一端から連続して形成されている。ナット球形部１７３は、例えば、真球の一部の形状により形成される。これにより、よりスムーズな回動、回転が可能となる。ナット球形部１７３は、取付本体部１３０におけるナット取付部１３３の第１側壁部１３３ａと第２側壁部１３３ｂとの間の長さｄよりも長い直径Ｄを有する球状の外形を有している。ナット球形部１７３は、第１側壁部１３３ａと第２側壁部１３３ｂの間に配置され、その一部が第１取付ナット保持開口１３３ａ１及び第２取付ナット保持開口１３３ｂ１に係合する。【００２７】
これにより、取付ナット１７０は、取付本体部１３０と一体として保持される。従って、センサ固定装置１００を用いることによって、取付の際に落としてしまう等、取付ナット１７０のみの紛失を防止することができる。【００２８】
また、取付ナット１７０は、図１に示すように、トラップ開口軸ＪＴに対して交差する方向である矢印ａ１１方向及び矢印ａ１３方向に回動可能に保持される。また、取付ナット１７０は、図３に示すように、取付ボルト１５０のボルト軸Ｊ１５０（図２参照）に対して矢印ａ１５方向に回転可能に保持される。【００２９】
従って、センサ固定装置１００を用いることによって、取付本体部１３０の配置角度にかかわらず、取付ナット１７０を取付ボルト１５０に対して垂直に配置できるため、容易に取付ボルト１５０を取付ナット１７０に螺合させることができる。【００３０】
［他の実施例］
（１）センサ固定装置１００のトラップ開口部Ｔ１への取付：前述の実施例１においては、センサ固定本体部１１０、及び、取付本体部１３０を用いて、センサ固定装置１００をトラップ開口部Ｔ１の外縁に配置することによって、センサ固定装置１００をスチームトラップＴのトラップ開口部Ｔ１に取り付けたが、センサ固定装置１００をトラップ開口部Ｔ１の外縁に沿って配置できるものであれば、例示のものに限定されない。【００３１】
例えば、図６に示すセンサ固定装置２００ように、径の大きなトラップ開口部Ｔ３に対しては、補助取付本体部２３０をセンサ固定本体部１１０と取付本体部１３０との間に、一つ又は複数、配置するようにしてもよい。また、対向して位置するナット取付部１３３の間の距離に合う取付ボルト２５０を使用する。なお、図６においては、スチームトラップ用センサＳの記述を省略している。【００３２】
また、図７に示すセンサ固定装置３００ように、径の小さなトラップ開口部Ｔ５に対しては、長さが短い取付ボルト３５０を用いるようにしてもよい。【００３３】
（２）スチームトラップＴ：前述の実施例１においては、プロセスシステム構成機器としてスチームトラップを示したが、プロセスシステム構成機器であり、所定の開口部を有するものであれば、例示のものに限定されない。例えば、ポンプ、減圧弁、セパレータ、フィルタ等の各種流体制御機器であってもよい。
【産業上の利用可能性】
【００３４】
本発明に係るセンサ固定装置は、例えば、スチームトラップに所定のセンサを取り付ける固定装置に利用することができる。
【符号の説明】
【００３５】
１００      センサ固定装置
１１０      センサ固定本体部
１１１      センサ取付開口
１１３      連結腕部
１３０      取付本体部
１３１      腕部
１３２      トラップ当接突出部
１３３      ナット取付部
１３３ａ    第１側壁部
１３３ａ１  第１取付ナット保持開口
１３３ｂ    第２側壁部
１３３ｂ１  第２取付ナット保持開口
１３３ｃ    第３側壁部
１３３ｃ１  取付ボルト挿入開口
１５０      取付ボルト
１５１      頭部
１５３      ネジ部
Ｊ１５０    ボルト軸
１７０      取付ナット
１７１      ナット部
１７３      ナット球形部
２００      センサ固定装置
２３０      補助取付本体部
２５０      取付ボルト
３００      センサ固定装置
３５０      取付ボルト
Ｔ          スチームトラップ
Ｔ１        トラップ開口部
ＡＴ        トラップ開口
ＪＴ        トラップ開口軸
Ｔ３        トラップ開口部
Ｔ５        トラップ開口部
Ｓ          スチームトラップ用センサ
【要約】
【課題】  取付ナットの紛失を防止できるセンサ固定装置の提供
【解決手段】  センサ固定装置１００の取付本体部１３０は、他の端部に、取付状態において、トラップ開口軸ＪＴに対して垂直に、互いに対向して位置する第１側壁部１３３ａ及び第２側壁部１３３ｂを有し、第１側壁部１３３ａは、第１取付ナット保持開口１３３ａ１を有し、第２側壁部１３３ｂは、第２取付ナット保持開口１３３ｂ１を有し、取付ナット１７０は、第１側壁部１３３ａと第２側壁部１３３ｂとの間に配置されるナット球形部１７３であって、第１側壁部１３３ａと第２側壁部１３３ｂとの間の距離よりも長い直径を有し、第１側壁開口１３３ａ１及び第２側壁開口１３３ｂ１と係合するナット球形部１７３を有する。これにより、取付ナット１７０は、取付本体部１３０と一体として保持され、取付の際に落としてしまう等、取付ナット１７０のみの紛失を防止することができる。
【選択図】  図１【図１】
0005784866.tif 000002
【図２】
0005784866.tif 000003
【図３】
0005784866.tif 000004
【図４】
0005784866.tif 000005
【図５】
0005784866.tif 000006
【図６】
0005784866.tif 000007
【図７】
0005784866.tif 000008
【図８】
0005784866.tif 000009